(57)【要約】  ＣＡＶまたはゾーンＣＡＶによって連続的にウォブルするグルーブが予め形成される光情報記録媒体であって、グルーブおよびグルーブに隣接するランドに情報を記録するようになされ、ウォブルを変調することによって、アドレス情報が記録され、アドレス情報は、アドレス情報の位置を示すシンクパターンと、アドレスデータとを含み、シンクパターンが複数の第１のウォブルパターンと、第１のウォブルパターンの間の第２のウォブルパターンとを有し、第１のウォブルパターンの間隔の少なくとも一部が不等間隔とされた光情報記録媒体である。図６
2016031106.tif 000002
【特許請求の範囲】
【請求項１】
ＣＡＶまたはゾーンＣＡＶによって連続的にウォブルするグルーブが予め形成される光情報記録媒体であって、
前記グルーブおよび前記グルーブに隣接するランドに情報を記録するようになされ、
前記ウォブルを変調することによって、アドレス情報が記録され、
前記アドレス情報は、アドレス情報の位置を示すシンクパターンと、アドレスデータとを含み、
前記シンクパターンが複数の第１のウォブルパターンと、前記第１のウォブルパターンの間の第２のウォブルパターンとを有し、前記第１のウォブルパターンの間隔の少なくとも一部が不等間隔とされた光情報記録媒体。
【請求項２】
前記第２のウォブルパターンが前記第１のウォブルパターンを位相変調したものである請求項１に記載の光情報記録媒体。
【請求項３】
前記第１のウォブルパターンがＭＳＫマークであり、前記第２のウォブルパターンがモノトーンである請求項１に記載の光情報記録媒体。
【請求項４】
前記第１のウォブルパターンの間隔が一定の数を加算または減算することによって段階的に変化する請求項１に記載の光情報記録媒体。
【請求項５】
前記第１のウォブルパターンの間隔が前記アドレスデータに近くなるほど小とされる請求項４に記載の光情報記録媒体。
【請求項６】
先頭の前記第１のウォブルパターンと２番目の前記第１のウォブルパターンとの間隔が３５ＮＷＬとされ、前記間隔が１ＮＷＬずつ減少するように、前記間隔が設定される請求項５に記載の光情報記録媒体。
【請求項７】
アドレス情報の先頭の位置と先頭の前記第１のウォブルパターンの位置との間に所定数の前記第２のウォブルパターンが介在され、
アドレス情報の最後の位置と最後の前記第１のウォブルパターンの位置との間に所定数の前記第２のウォブルパターンが介在される請求項１に記載の光情報記録媒体。
【請求項８】
ＣＡＶまたはゾーンＣＡＶによって連続的にウォブルするグルーブが予め形成される光情報記録媒体であって、
前記グルーブおよび前記グルーブに隣接するランドに情報を記録するようになされ、
前記ウォブルを変調することによって、アドレス情報が記録され、
前記アドレス情報は、アドレス情報の位置を示すシンクパターンと、アドレスデータとを含み、
前記シンクパターンが複数の第１のウォブルパターンと、前記第１のウォブルパターンの間の第２のウォブルパターンとを有し、前記第１のウォブルパターンの間隔の少なくとも一部が不等間隔とされた光情報記録媒体を光学的に再生し、
前記第１のウォブルパターンを検出することによって、前記シンクパターンを検出し、
前記シンクパターンの検出によって前記アドレスデータを復号する光情報記録媒体再生装置。
【請求項９】
前記第１のウォブルパターンと参照波との検波出力を生成する検波回路と、
前記検波回路の出力を積算する積算回路と、
前記積算出力が供給され、前記シンクパターンに含まれる複数の前記第１のウォブルパターンを同時に検出するように、それぞれの遅延量が設定される複数の遅延回路の直列接続と、
前記遅延回路の直列接続から取り出される複数の積算出力を加算する加算器と、
前記加算器の出力を閾値判定する閾値判定回路とを備える請求項８に記載の光情報記録媒体再生装置。
【請求項１０】
前記第２のウォブルパターンが前記第１のウォブルパターンを位相変調したものである請求項８に記載の光情報記録媒体再生装置。
【請求項１１】
前記第１のウォブルパターンがＭＳＫマークであり、前記第２のウォブルパターンがモノトーンである請求項８に記載の光情報記録媒体再生装置。
【請求項１２】
前記第１のウォブルパターンの間隔が一定の数を加算または減算することによって段階的に変化する請求項８に記載の光情報記録媒体再生装置。
【請求項１３】
前記第１のウォブルパターンの間隔が前記アドレスデータに近くなるほど小とされる請求項１２に記載の光情報記録媒体再生装置。
【請求項１４】
先頭の前記第１のウォブルパターンと２番目の前記第１のウォブルパターンとの間隔が３５ＮＷＬとされ、前記間隔が１ＮＷＬずつ減少するように、前記間隔が設定される請求項１３に記載の光情報記録媒体再生装置。
【請求項１５】
アドレス情報の先頭の位置と先頭の前記第１のウォブルパターンの位置との間に所定数の前記第２のウォブルパターンが介在され、
アドレス情報の最後の位置と最後の前記第１のウォブルパターンの位置との間に所定数の前記第２のウォブルパターンが介在される請求項８に記載の光情報記録媒体再生装置。
【発明の詳細な説明】
【技術分野】
【０００１】
本開示は、例えば記録可能な光ディスクに適用される光情報記録媒体および光情報記録媒体再生装置に関する。
【背景技術】
【０００２】
従来、レ−ザ光を用いて情報を記録或いは記録情報を再生する光ディスクが実用化されている。光ディスクの種類としては、再生専用型、追記型および書き替え型がある。追記型および書き換え型では、情報の記録のために、予め光ディスクの位置を示すアドレス情報が記録されている必要がある。【０００３】
アドレス情報を記録する方法して、ウォブルと称される溝を形成する信号をアドレス情報によって変調する方式が知られている。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。【０００４】
通常、アドレス情報を記録する場合、同期部分（以下、シンクパターンと適宜称する）とデータ部分（以下、アドレスデータと適宜称する）とを記録するようになされる。シンクパターンによってアドレス情報の記録位置を見つけ、アドレスデータを再生するようになされる。シンクパターンは、アドレスデータと明確に区別できることが望ましい。【０００５】
例えばＢＤ（Blu-ray Disc（登録商標））においては、ウォブルグルーブによってアドレス情報を記録し、グルーブにデータを記録するようになされている（特許文献１参照）。アドレスを変調する方式として、ＢＤでは、ＭＳＫ(Minimum Shift Keying)とＳＴＷ(Saw Tooth Wobble)との両方が使用されている。
【先行技術文献】
【特許文献】
【０００６】
【特許文献１】特許第４１２１２６５号明細書
【発明の概要】
【発明が解決しようとする課題】
【０００７】
ランドＬおよびグルーブＧにデータが記録されるランド／グルーブ記録方式によって記録容量を増大させることができる。しかしながら、グルーブおよびランドのそれぞれにおいて、アドレス情報を再生することが必要とされる。グルーブトラックを走査する場合、隣接のランドトラックのＲＦ信号が漏れ込むので、ウォブルグルーブの再生信号のＳＮＲが劣化する。一方ランドトラックを走査する場合、グルーブトラックからのＲＦ信号の漏れ込みによるＳＮＲの劣化に加え、ランドトラックの幅が変動するのでさらにＳＮＲが劣化する。したがって、ＳＮＲが劣化した状態でもシンクパターンの検出を確実に行うことが望ましい。【０００８】
従来の提案されているシンクパターン検出回路は、このようにＳＮＲが劣化した状態で、シンクパターンを正確に検出する能力が十分でなかった。【０００９】
したがって、本開示は、アドレス情報をウォブルによって記録する場合に、シンクパターンをＳＮＲが悪い環境でも確実に検出することができる光情報記録媒体および光情報記録媒体再生装置の提供を目的とする。
【課題を解決するための手段】
【００１０】
本開示は、ＣＡＶまたはゾーンＣＡＶによって連続的にウォブルするグルーブが予め形成される光情報記録媒体であって、
グルーブおよびグルーブに隣接するランドに情報を記録するようになされ、
ウォブルを変調することによって、アドレス情報が記録され、
アドレス情報は、アドレス情報の位置を示すシンクパターンと、アドレスデータとを含み、
シンクパターンが複数の第１のウォブルパターンと、第１のウォブルパターンの間の第２のウォブルパターンとを有し、第１のウォブルパターンの間隔の少なくとも一部が不等間隔とされた光情報記録媒体である。【００１１】
本開示は、ＣＡＶまたはゾーンＣＡＶによって連続的にウォブルするグルーブが予め形成される光情報記録媒体であって、
グルーブおよびグルーブに隣接するランドに情報を記録するようになされ、
ウォブルを変調することによって、アドレス情報が記録され、
アドレス情報は、アドレス情報の位置を示すシンクパターンと、アドレスデータとを含み、
シンクパターンが複数の第１のウォブルパターンと、第１のウォブルパターンの間の第２のウォブルパターンとを有し、第１のウォブルパターンの間隔の少なくとも一部が不等間隔とされた光情報記録媒体を光学的に再生し、
第１のウォブルパターンを検出することによって、シンクパターンを検出し、
シンクパターンの検出によってアドレスデータを復号する光情報記録媒体再生装置である。
【発明の効果】
【００１２】
少なくとも一つの実施形態によれば、ランド／グルーブ記録方式において、ＲＦ信号の漏れ込みによってＳＮＲが悪い状況でも、確実にシンクパターンを検出することが可能となり、アドレス情報を正しく再生できる。なお、ここに記載された効果は必ずしも限定されるものではなく、本開示中に記載されたいずれかの効果であっても良い。
【図面の簡単な説明】
【００１３】
【図１】光ディスクの一例および光ディスクのトラックの説明のための略線図である。
【図２】ランド／グルーブ記録方式の光ディスクの一部を拡大して示す略線図である。
【図３】変調方式の一例であるＭＳＫの説明のための略線図である。
【図４】本開示の一実施の形態のＡＤＩＰワードの説明のための略線図である。
【図５】本開示の一実施の形態のアドレス情報の説明のための略線図である。
【図６】シンクパターンのＭＳＫマークを不等間隔で記録する場合の説明に使用する略線図である。
【図７】シンクパターンにおけるＭＳＫマークの間隔の一例を示す略線図である。
【図８】本開示の一実施の形態の利点を説明するための略線図である。
【図９】ＭＳＫマークの検出回路の一例のブロック図である。
【図１０】本開示の一実施の形態の利点を説明するための略線図である。
【図１１】本開示の一実施の形態のシンクパターン検出装置のブロック図である。
【図１２】本開示の一実施の形態の再生装置のブロック図である。
【発明を実施するための形態】
【００１４】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．一実施の形態＞
＜２．変形例＞
【００１５】
＜１．一実施の形態＞
「光ディスクの一例」
本開示の一実施の形態による光情報記録媒体について説明する。図１Ａおよび図１Ｂは、一実施の形態による光情報記録媒体の構成例を示す。光情報記録媒体は、例えばディスク状の高密度記録光ディスクである。図１Ａは光ディスクの概略であり、図１Ｂは、図１Ａの光ディスクの一部を拡大した図である。
【００１６】
図１Ａおよび図１Ｂに示すように、光ディスク１０には、内周から外周の方向または外周から内周の方向にスパイラル状に連続した溝状のグルーブＧと隣接するグルーブＧ間に挟まれたエリアであるランドＬが形成されている。グルーブＧは、光ディスク１０の製造時に形成される。グルーブＧは、例えばホトレジストが塗布された原盤に対して、レーザ光を照射して形成される。
【００１７】
ランドＬおよびグルーブＧにデータが記録されるランド／グルーブ記録方式で、データが記録される。光ディスク１０のグルーブＧは、ウォブルグルーブである。ウォブルを形成する信号をアドレス情報によって変調する方式で、アドレス情報が記録されている。本明細書において、グルーブは、光ディスクを製造する時に、レーザ光によって照射される部分と定義され、グルーブにより形成されるトラックをグルーブトラックと称し、隣接するグルーブ間に挟まれるエリアをランドと称し、ランドにより形成されるトラックをランドトラックと称する。
【００１８】
本開示の一実施の形態では、グルーブを形成する記録時では、角速度一定（以下、ＣＡＶ(Constant Angular Velocity: 角速度一定）と称する）でディスクを回転させる。ディスクの半径方向を分割して複数のゾーンを形成し、ゾーン内では、ＣＡＶ制御を行うゾーンＣＡＶを採用しても良い。ＣＡＶまたはゾーンＣＡＶによって渦巻き状のウォブルトラックにおいて、ディスクの半径方向でウォブルの基本波の位相が互いに同期したものとできる。
【００１９】
図２は、光ディスク１０の一部を拡大して示す。ビームスポットＳＰが例えばグルーブ上を走査する状態が示されている。グルーブトラックを走査する場合、隣接のランドトラックのＲＦ信号が漏れ込むことによって、ウォブルグルーブの再生信号のＳＮＲが劣化する問題がある。一方ランドトラックでは、隣接のグルーブトラックのＲＦが漏れ込むことに加え、ランドトラックの幅が変動するので、ＲＦ信号のＳＮＲが劣化する。これらの点を考慮してシンクパターンの検出を確実に行うことが望ましい。
【００２０】
「変調方式」
本開示の一実施の形態では、シンクパターンとして第１のウォブルパターンと第２のウォブルパターンとを使用する。第１のウォブルパターンとして例えばＭＳＫを使用している。ＭＳＫの方式によって形成されるパターンをＭＳＫマークと呼ぶことにする。第２のウォブルパターンは、モノトーン（無変調）ウォブルである。
【００２１】
ＭＳＫマークは、連続する３個のウォブルによって構成されている。前後のウォブルの周波数が基本波の１．５倍とされているので、中心のウォブルの波形がＭＳＫでない部分に対して極性が反転されている。グルーブがＭＳＫにより変調されている場合には、基本波との相違が大きいものとなる。したがって、短い区間において、確度良くＭＳＫマークを検出できる利点がある。しかしながら、ランド幅の変動が大きくなり、ランドトラックに記録されているＲＦ信号（記録データ）の再生に影響が与えられる問題がある。さらに、ウォブルグルーブの再生信号からＰＬＬ（Phase Locked Loop ）によって再生信号と同期したクロックを形成している場合、ＭＳＫマークの区間では、ＰＬＬの同期が外れるので、ＭＳＫマークを多く記録することはクロック再生の面で好ましくない。
【００２２】
「アドレス情報」
アドレス情報は、ＡＤＩＰ(Address In Pregroove)ワード単位で記録されている。一例として、図４に示すように、光ディスク１０が放射方向に７等分され、各分割領域に一つのＡＤＩＰワードが記録される。したがって、光ディスク１０の１周には、７つのＡＤＩＰワードが記録される。
【００２３】
図５は、ＡＤＩＰワードの構成を示す。ＡＤＩＰワードは、６４個のＡＤＩＰユニットが含まれている。一つのＡＤＩＰユニットには、８０個のＮＷＬが含まれている。ＮＷＬは、ウォブルの基本波の１周期である。光ディスク１０には、ＡＤＩＰユニット番号０のＡＤＩＰユニットからＡＤＩＰユニット番号６３のＡＤＩＰユニットまでが順に記録されるようになされる。
【００２４】
先頭の８個のＡＤＩＰユニット（番号０〜７）がＡＤＩＰワードのシンクパターンとされている。残りの５６個のＡＤＩＰユニット（番号８〜６３）がアドレスデータとされている。アドレスデータの場合、各ＡＤＩＰユニットがデータの１ビットを表している。シンクパターンは、ＭＳＫを使用しているのに対して、アドレスデータは、他の変調方式が採用されている。但し、同一の変調方式を採用することも可能である。
【００２５】
他の変調方式の一例は、ＭＳＫを修正した変調方式である。この変調方式をＭＳＫ改（＋）、ＭＳＫ改（−）と呼ぶことにする。それぞれは、ウォブルの基本波の周波数をｆとすると、下記のように８個のＮＷＬの区間に下記の波形が連続するものである。前側の区間の波形が＋cos(f)としている。
ＭＳＫ改（＋）：＋cos(0.75f)、＋sin(f)×6、＋sin(1.25f)
ＭＳＫ改（−）：＋cos(1.25f)、- sin(f)×6、- sin(0.75f)
【００２６】
アドレスデータは、５６個のＡＤＩＰユニットのそれぞれが１ビットのデータを表すので、アドレスデータが５６ビットから構成される。一実施の形態では、シーケンシャルナンバー（２０ビット）、層番号（Ａ／Ｂ面識別を含む３ビット）、リザーブビット（１ビット）が規定され、これらのアドレスデータに対してエラー訂正符号化がなされ、その結果、冗長コード（パリティと適宜称する）３２ビットが生成される。
【００２７】
ＡＤＩＰワードの先頭に位置するシンクパターンについて図６を参照して説明する。図６Ａ〜図６Ｄは、図５のシンクパターンの領域（ＡＤＩＰユニット番号の０〜７）を水平方向で４等分して示すものである。すなわち、図６Ａは、ＮＷＬの０〜１９の領域を示し、図６Ｂは、ＮＷＬの２０〜３９の領域を示し、図６Ｃは、ＮＷＬの４０〜５９の領域を示し、図６Ｄは、ＮＷＬの６０〜７９の領域を示す。
【００２８】
図６に示すように、シンクパターンとして２０個のＭＳＫマーク（ＭＳＫ１〜ＭＳＫ２０と表す）が記録される。記録（再生）時では、ＭＳＫ２０、ＭＳＫ１９、ＭＳＫ１８、−−−−、ＭＳＫ１の順序となる。各ＭＳＫマークの間隔が不等間隔とされている。図７は、ＭＳＫマークの間隔を表している。なお、間隔とは、二つのＭＳＫマークの間に存在するモノトーンの周期の数のことである。但し、間隔を二つのＭＳＫマークの先頭の間の間隔と定義しても良い。なお、２０個のＭＳＫマークの間隔が全て不等であることは必要でなく、少なくとも一部が不等であれば良い。
【００２９】
ＡＤＩＰワードの先頭のＭＳＫ２０は、先頭位置から３０ＮＷＬ後の位置に記録される。次のＭＳＫ１９は、ＭＳＫ２０に対して３５ＮＷＬ後の位置に検出される。以下、ＭＳＫマークの間隔が１ずつ減少される。最後の二つのＭＳＫ２とＭＳＫ１との間隔が１７とされる。そして、ＭＳＫ１の後側からＡＤＩＰワードのシンクパターンの最後の位置までに５６ＮＷＬの区間が位置している。このように間隔がアドレスデータに近くなるほど短くされている。
【００３０】
「シンクパターンのＳＮＲの改善」
本開示の一実施の形態におけるシンクパターンは、短いＭＳＫマークを複数箇所に記録し、複数のＭＳＫマークを同時検出するので、ＭＳＫマークの中心部の区間を繰り返すようなシンクパターンに比して同期位置の検出精度を高くすることができる。例えば図８Ａは、ＭＳＫマークの基本形を示しており、図８Ｂは、ＭＳＫマークの中心の部分を４波に増加させ、マーク全体で６ＮＷＬの長さとしたものである。図８では、シンクパターンの挿入区間の長さを例えば４０ＮＷＬとしている。
【００３１】
従来のＭＳＫ復調回路は、図９に示す構成とされている。入力端子１に対して、ディスクから再生されたウォブル信号が供給される。乗算器２によって、ウォブル信号と入力端子３からのキャリア信号とが乗算される。キャリア信号は、再生信号と同期した信号であり、ＭＳＫの復調時には、同じ周波数のキャリアが乗算される。
【００３２】
乗算器２の出力信号が積分器４に供給される。積分器４に対して端子５からリセット信号が入力され、リセット信号によって、積分器４がリセットされ、積分器４が蓄積していた値が初期値例えば０に戻る。積分器４の出力信号がサンプルおよびホールド回路６に供給される。
【００３３】
サンプルおよびホールド回路６に対して端子７からサンプリングパルスが供給される。サンプリングパルスは、積分器４の出力をサンプルおよびホールドする。サンプルおよびホールド回路６の出力信号が比較回路８に供給される。
【００３４】
比較回路８に対して端子９から基準レベルが供給される。基準レベルは、サンプルおよびホールド回路６から出力されるウォブル信号の中心の値である。比較回路８は、基準レベルに対して入力信号が大きい場合に（＋１）の値の出力を発生し、逆に、比較回路８は、基準レベルに対して入力信号が小さい場合に（−１）の値の出力を発生する。比較回路８からＭＳＫの復調出力が得られる。ＭＳＫマークの場合、３個のＮＷＬの中で、前側の区間と後側の区間で（＋１）となり、中央の区間で（−１）となる検出出力が得られる。但し、以下の説明では、極性を反転して、中央の区間で（＋１）の検出出力が得られ、他の区間で（−１）の検出出力が得られるものとしている。
【００３５】
このような積分検出回路を用いている場合、図８Ｂに示すように、１〜４のＮＷＬ番号が検出すべき区間の場合、４個の（＋１）の検出出力が得られるので、合計した値が（＋４）となる。これに対して、１ＮＷＬずれた区間（例えば２〜５のＮＷＬ番号の区間）を検出した場合、（＋２）の合計値が得られる。このように、図８Ｂのように、ＭＳＫマークの中央の区間を長くするパターンは、正しい検出出力と誤った検出出力との差が小さい問題がある。したがって、ＳＮＲが悪い場合に、誤った検出を行うおそれがある。
【００３６】
これに対して、本開示の一実施の形態では、図８Ｃに示すように、ＭＳＫマークを分散して記録している。そして、正しいＭＳＫマークの記録位置（ＮＷＬ番号の１，７，１５，２５）において、ＭＳＫマークを検出し、検出結果を加算したものを検出出力とする。この方法は、１ＮＷＬずれた場合には、検出出力の合計値が（＋４）から（−４）となる。このように、検出出力の差が大きいので、１ＮＷＬずれた区間の位置をシンクパターンと誤って検出するおそれを小さくできる利点がある。
【００３７】
次に、本開示の一実施の形態では、複数のＭＳＫマークを不等間隔で配置している。一例としてアドレスデータに近くなるほど間隔が狭くなる不等間隔で配置している。ＭＳＫマークの出現頻度は、ＰＬＬによるウォブルクロックの再生に影響を与えない程度に設定される。比較のために、図１０Ａに示すように、ＭＳＫマークを等間隔（例えば３ＮＷＬの間隔）で配置したシンクパターンについて検討する。図１０Ａの例は、シンクパターンの挿入区間の長さを例えば４０ＮＷＬとし、互いの間隔が３ＮＷＬで先頭から４個のＭＳＫマークを配置した例である。
【００３８】
４個のＭＳＫマークを正しく検出した場合には、＋４の検出出力が得られる。検出位置が６ＮＷＬずれた場合（図１０Ａ）では、３個のＭＳＫマークの中央位置を検出するので、検出出力の合計値が（＋２）となる。このように、ＭＳＫマークの配置の間隔に対応する周期で、正しい検出出力と差が小さい検出出力が発生する問題がある。
【００３９】
本開示の一実施の形態では、上述したように、不等間隔でＭＳＫマークを配置している。例えば図１０Ｂに示すように、間隔を（３，５，７，１３）と設定する。図１０Ａの例と同様に、検出位置が６ＮＷＬずれた場合、検出出力（＋１）が得られるのは、１個の積分検出回路のみであるので、検出出力の合計値が（−２）となる。正しい検出位置の場合に得られる値（＋４）との差が大きく、誤った検出を行うおそれを小さくすることができる。なお、複数の間隔の全てが不等である必要はなく、全体の中の少ない割合が等しい間隔であっても良い。
【００４０】
ＭＳＫマークを配置する場合、不等間隔ではなく、疑似乱数系列例えばＭ系列(Maximum-length linear shift-register sequence)の"1"の値の位置にＭＳＫマークを配置する方法が考えられる。具体例として、（２5 −１＝３１）の周期を持つＭ系列は、下記のものとなる。系列中の"1"に対応してＭＳＫマークが配置される。
【００４１】
（１０１０１１１０１１０００１１１１１００１１０１００１００００）
【００４２】
この方法は、誤った検出をするおそれが低く、ＭＳＫマークの数が多いので、正しい同期位置での検出信号の合計値が大きな値となる利点がある。しかしながら、"1"が連続する部分において、ウォブルＰＬＬに長く外乱が生じ、クロック再生が不安定となる問題がある。"1"の連続する部分は、周期（２n −１）の場合にｎ個連続する。したがって、疑似乱数系列を使用することは、好ましい方法とは言えない。
【００４３】
「シンクパターン検出装置」
図１１を参照して本開示によるシンクパターン検出装置の一実施の形態について説明する。破線で囲んで示すＭＳＫマーク検出部１１の乗算器１２に対して、光ディスクから再生されたウォブル波形が供給される。このウォブル波形は、ウォブルＰＬＬの処理後の信号である。乗算器１２は、第１のウォブルパターンと参照波との検波出力を生成する検波回路の機能を有する。
【００４４】
乗算器１２に対しては、ディスクから再生されたウォブル信号および参照波形１３が供給される。参照波形１３は、再生信号と同期したウォブル波形である。参照波形は従来のＭＳＫ復調回路と同様にキャリア信号とすることができ、またはＭＳＫマークと同様の３つのウォブル波形とすることもできる。乗算器１２の出力が積算回路１４に供給され、乗算器１２の出力信号が所定の期間積算される。積算回路１４の出力は、アナログ値を有する信号である。アナログ値は、ＭＳＫマークの相関度に応じたレベルを有する。
従来のＭＳＫ復調回路は、図９に示す構成とされている。入力端子１に対して、ディスクから再生されたウォブル信号が供給される。乗算器２によって、ウォブル信号と入力端子３からのキャリア信号とが乗算される。キャリア信号は、再生信号と同期した信号であり、ＭＳＫの復調時には、同じ周波数のキャリアが乗算される。
【００４５】
積算回路１４の出力信号が遅延および加算部１５に供給される。遅延および加算部１５は、積算回路１４の積算出力が供給され、シンクパターンに含まれる複数のＭＳＫマークを同時に検出するように、それぞれの遅延量が設定される複数の遅延回路の直列接続と、遅延回路の直列接続から取り出される複数の積算出力を加算する加算器とを有する。具体的には、遅延および加算部１５は、上述したＭＳＫマークの間隔に対応する遅延量を有する遅延回路ＤＬ１〜ＤＬ１９を有する。正しい同期検出タイミングにおいては、遅延回路ＤＬ１の入力側にＭＳＫマークＭＳＫ１に対応するアナログ値が発生し、遅延回路ＤＬ２〜ＤＬ１９のそれぞれの段間に、ＭＳＫ２〜ＭＳＫ１９にそれぞれ対応するアナログ値が発生し、最終段の遅延回路ＤＬ２０の出力側にＭＳＫ２０に対応するアナログ値が発生する。
【００４６】
これらの２０個のアナログ値が加算器１６によって加算され、加算器１６からシンク検出信号が得られる。シンク検出信号が閾値判定回路１７に供給され、所定の閾値と比較される。正しい同期検出タイミングにおいては、例えばシンク検出信号が閾値より低くなり、ハイレベルの検出出力が発生する。この検出出力がシンクパターン検出出力となる。若し、検出位置がずれていると、閾値判定回路１７において、シンク検出信号が閾値以上の値となり、ローレベルの検出出力が発生する。
【００４７】
図１１に示すシンクパターン検出回路は、２０個の検出位置で閾値判定を行わずに、アナログ値のままで加算を行ってから閾値判定回路１７において、閾値と比較判定される。したがって、１カ所毎の検出位置において閾値判定を行った場合に、誤った判定結果が生じる場合でも、全ての検出位置で得られるアナログ値を加算してから閾値判定する方が誤った判定結果を生じるおそれを低くすることができる。
【００４８】
上述した本開示の一実施の形態は、正しい同期位置とその他の位置との間で、検出信号のレベルの差が大きくなるので、確実に同期をとることができる。さらに、ＭＳＫマークの頻度を適切に選ぶことによって、ウォブルＰＬＬに対しての影響を少なくできる。
【００４９】
モノトーン部分においてはウォブル変調によるＰＬＬへの影響がないためＰＬＬが引き込みやすい。本開示の一実施の形態ではシンクパターンの手前にモノトーン部分を設置しておりＰＬＬの引込みが期待できる。さらに、仮に同期パターンの手前でＰＬＬの引込みが不完全な場合でも、同期パターンの先頭に近いほどＭＳＫマークの間隔が広いためＰＬＬの引込みに有効に作用し、またＰＬＬが不安定なことによるＭＳＫの検出損失数も低く抑えることができるので、ＰＬＬの引込みから直ちにシンクパターンを検出できる確率を高めることができる。
【００５０】
将来的に、例えばディスクの材料や製造方法、信号の記録方法の改善等によりシンク検出信号のＳＮＲが改善した場合には、シンクパターン全体を検出することなく、その一部のみを検出するように回路を構成することにより、シンク検出回路の規模を削減できる。その際、シンク検出信号のＳＮＲは検出に利用するＭＳＫマーク数に比例するのに対し、検出回路の規模はＭＳＫ数の他に遅延回路での遅延量にも依存する。このため検出に利用するＭＳＫ数を削減する場合には、ＭＳＫ間隔が広いものから順に不使用とすると効率が良い。本開示の一実施の形態では、ＭＳＫマークの間隔がアドレスデータに近づくほど短くされているので、この場合にはアドレスデータに遠いＭＳＫから順に不使用とするのが望ましい。この場合、検出に利用する最後のＭＳＫマークからアドレスデータまでの距離は、不使用ＭＳＫ数に依らず一定なので、検出回路の設計が容易となる。
【００５１】
「ディスク再生装置」
本開示の一実施の形態によるディスク再生装置について、アドレスの再生を主に説明する。図１２に示すように、光ディスク２１に対してデータが記録され、光ディスク２１からデータが再生される。
【００５２】
光ディスク２１がスピンドルモータ２２によって回転される。光学ヘッド２３に対してレーザ駆動部２４からの駆動信号が供給され、記録データ２５に応じて強度が変調されたレーザビームが光学ヘッド２３から光ディスク２１に対して照射され、再生されたアドレス情報に基づいて決定された光ディスク２１の所定の位置にデータが記録される。
【００５３】
光ディスク２１に対して光学ヘッド２３からの読み取りレーザビームが照射され、その反射光が光学ヘッド２３内のフォトディテクタによって検出され、信号検出部２６によって再生信号が検出される。信号検出部２６からは、再生信号２７、フォーカスエラー信号、トラッキングエラー信号等のサーボエラー信号２８、並びにウォブル信号２９が取り出される。ウォブル信号２９は、トラック方向で光検出素子が２分割された検出器の出力信号である。例えば二つの検出器の和の信号がウォブル信号２９として取り出される。ウォブル信号２９は、ウォブル波形に応じたものとなる。
【００５４】
サーボエラー信号２８がサーボ回路３０に供給される。サーボ回路３０によってスピンドルモータ２２の回転が角速度一定に制御され、光学ヘッド２３のフォーカスおよびトラッキングが制御される。
【００５５】
信号検出部２６により検出されたウォブル信号２９がＰＬＬ３１に供給される。ＰＬＬ３１の出力信号がシンクパターン検出回路３２に供給される。ＰＬＬ３１から再生信号と同期したクロックが出力される。クロックが再生時の処理のタイミングの基準とされる。シンクパターン検出回路３２に対してＰＬＬ３１からクロックが供給される。
【００５６】
シンクパターン検出回路３２は、図１１を参照して説明したように、各ＡＤＩＰワードの先頭のシンクパターンを検出する。シンクパターンの検出信号およびデータがＡＤＩＰデコーダ３３に供給される。ＡＤＩＰデコーダ３３は、ＡＤＩＰワード毎に記録されているアドレスデータ等を復号し、エラー訂正を行う。
【００５７】
＜２．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。
【００５８】
なお、本開示は、以下のような構成も取ることができる。
（１）
ＣＡＶまたはゾーンＣＡＶによって連続的にウォブルするグルーブが予め形成される光情報記録媒体であって、
前記グルーブおよび前記グルーブに隣接するランドに情報を記録するようになされ、
前記ウォブルを変調することによって、アドレス情報が記録され、
前記アドレス情報は、アドレス情報の位置を示すシンクパターンと、アドレスデータとを含み、
前記シンクパターンが複数の第１のウォブルパターンと、前記第１のウォブルパターンの間の第２のウォブルパターンとを有し、前記第１のウォブルパターンの間隔の少なくとも一部が不等間隔とされた光情報記録媒体。
（２）
前記第２のウォブルパターンが前記第１のウォブルパターンを位相変調したものである（１）に記載の光情報記録媒体。
（３）
前記第１のウォブルパターンがＭＳＫマークであり、前記第２のウォブルパターンがモノトーンである（１）に記載の光情報記録媒体。
（４）
前記第１のウォブルパターンの間隔が一定の数を加算または減算することによって段階的に変化する（１）に記載の光情報記録媒体。
（５）
前記第１のウォブルパターンの間隔が前記アドレスデータに近くなるほど小とされる（４）に記載の光情報記録媒体。
（６）
先頭の前記第１のウォブルパターンと２番目の前記第１のウォブルパターンとの間隔が３５ＮＷＬとされ、前記間隔が１ＮＷＬずつ減少するように、前記間隔が設定される（５）に記載の光情報記録媒体。
（７）
アドレス情報の先頭の位置と先頭の前記第１のウォブルパターンの位置との間に所定数の前記第２のウォブルパターンが介在され、
アドレス情報の最後の位置と最後の前記第１のウォブルパターンの位置との間に所定数の前記第２のウォブルパターンが介在される（１）に記載の光情報記録媒体。
（８）
ＣＡＶまたはゾーンＣＡＶによって連続的にウォブルするグルーブが予め形成される光情報記録媒体であって、
前記グルーブおよび前記グルーブに隣接するランドに情報を記録するようになされ、
前記ウォブルを変調することによって、アドレス情報が記録され、
前記アドレス情報は、アドレス情報の位置を示すシンクパターンと、アドレスデータとを含み、
前記シンクパターンが複数の第１のウォブルパターンと、前記第１のウォブルパターンの間の第２のウォブルパターンとを有し、前記第１のウォブルパターンの間隔の少なくとも一部が不等間隔とされた光情報記録媒体を光学的に再生し、
前記第１のウォブルパターンを検出することによって、前記シンクパターンを検出し、
前記シンクパターンの検出によって前記アドレスデータを復号する光情報記録媒体再生装置。
（９）
前記第１のウォブルパターンと参照波との検波出力を生成する検波回路と、
前記検波回路の出力を積算する積算回路と、
前記積算出力が供給され、前記シンクパターンに含まれる複数の前記第１のウォブルパターンを同時に検出するように、それぞれの遅延量が設定される複数の遅延回路の直列接続と、
前記遅延回路の直列接続から取り出される複数の積算出力を加算する加算器と、
前記加算器の出力を閾値判定する閾値判定回路とを備える（８）に記載の光情報記録媒体再生装置。
（１０）
前記第２のウォブルパターンが前記第１のウォブルパターンを位相変調したものである（８）に記載の光情報記録媒体再生装置。
（１１）
前記第１のウォブルパターンがＭＳＫマークであり、前記第２のウォブルパターンがモノトーンである（８）に記載の光情報記録媒体再生装置。
（１２）
前記第１のウォブルパターンの間隔が一定の数を加算または減算することによって段階的に変化する（８）に記載の光情報記録媒体再生装置。
（１３）
前記第１のウォブルパターンの間隔が前記アドレスデータに近くなるほど小とされる（１２）に記載の光情報記録媒体再生装置。
（１４）
先頭の前記第１のウォブルパターンと２番目の前記第１のウォブルパターンとの間隔が３５ＮＷＬとされ、前記間隔が１ＮＷＬずつ減少するように、前記間隔が設定される（１３）に記載の光情報記録媒体再生装置。
（１５）
アドレス情報の先頭の位置と先頭の前記第１のウォブルパターンの位置との間に所定数の前記第２のウォブルパターンが介在され、
アドレス情報の最後の位置と最後の前記第１のウォブルパターンの位置との間に所定数の前記第２のウォブルパターンが介在される（８）に記載の光情報記録媒体再生装置。
【符号の説明】
【００５９】
１０  光ディスク
１１  ＭＳＫマーク検出部
１５  遅延および加算部
２２  スピンドルモータ
２３  光学ヘッド
３１  ＰＬＬ
３２  シンクパターン検出回路
３３  ＡＤＩＰデコーダ
【図１】
2016031106.tif 000003
【図２】
2016031106.tif 000004
【図３】
2016031106.tif 000005
【図４】
2016031106.tif 000006
【図５】
2016031106.tif 000007
【図６】
2016031106.tif 000008
【図７】
2016031106.tif 000009
【図８】
2016031106.tif 000010
【図９】
2016031106.tif 000011
【図１０】
2016031106.tif 000012
【図１１】
2016031106.tif 000013
【図１２】
2016031106.tif 000014
【国際調査報告】
2016031106.tif 000015
2016031106.tif 000016
2016031106.tif 000017
2016031106.tif 000018